(57)【要約】【課題】手袋を装着した指の状態に応じてアンテナの通信範囲を変化させ得る通信装置を提供する。【解決手段】右手用手袋３０ａの親指用指袋３１ａおよび人差し指用指袋３２ａには、表面に露出する接点４１ａ，４２ａ同士が電気的に接続される場合に小アンテナ４０ａを形成するための一側アンテナ線４１と他側アンテナ線４２とが配線されている。また、左手用手袋３０ｂには、一側アンテナ線４１および他側アンテナ線４２を中継することで小アンテナ４０ａよりも大きな大アンテナ４０ｂを形成するための中継アンテナ線４３が配線されるとともに、当該左手用手袋３０ｂの親指用指袋３１ｂおよび人差し指用指袋３２ｂには、中継アンテナ線４３の両端となる２つの接点４３ａ，４３ｂが右手用手袋３０ａの対応する接点４１ａ，４２ａに接続可能にそれぞれ表面に露出している。【選択図】図５
2014051760.tif 000002
【特許請求の範囲】
【請求項１】
使用者が装着する手袋に形成されるアンテナを介して非接触通信する通信装置であって、
右手用手袋および左手用手袋のいずれか一方の手袋における複数の指袋のうちいずれか２つには、表面に露出する接点同士が電気的に接続される場合に第１のアンテナを形成するための一側アンテナ線と他側アンテナ線とが配線され、
前記一方の手袋と異なる他方の手袋には、前記一側アンテナ線および前記他側アンテナ線を中継することで前記第１のアンテナよりも大きな第２のアンテナを形成するための中継アンテナ線が配線されるとともに、当該他方の手袋における複数の指袋のうちいずれか２つには、前記中継アンテナ線の両端となる２つの接点が前記一方の手袋の接点に接続可能にそれぞれ表面に露出することを特徴とする通信装置。
【請求項２】
前記手袋には、前記アンテナを介した通信状態を報知する報知手段が設けられることを特徴とする請求項１に記載の通信装置。
【請求項３】
前記手袋には、前記第１のアンテナが形成される場合に当該第１のアンテナに通信対象を誘導するための第１の誘導手段と、前記第２のアンテナが形成される場合に当該第２のアンテナに通信対象を誘導するための第２の誘導手段とが設けられることを特徴とする請求項１または２に記載の通信装置。
【請求項４】
前記表面上にて当該表面からの高さが前記接点よりも高い状態で当該接点の周囲を覆う保護部材が接点ごとに設けられ、
前記保護部材は、保護する接点に接続する他の接点を保護する他の前記保護部材に対して、両接点が接続可能に係合するように形成されることを特徴とする請求項１〜３のいずれか一項に記載の通信装置。
【請求項５】
前記一方の手袋における複数の指袋のうちいずれか２つには、前記第１のアンテナが形成される際に互いに接続されることで前記一側アンテナ線および前記他側アンテナ線に通信用の電力を通電するためのスイッチとして機能するスイッチ用接点がそれぞれ表面に露出して設けられることを特徴とする請求項１〜４のいずれか一項に記載の通信装置。
【請求項６】
前記一方の手袋における複数の指袋のうちいずれか１つと前記他方の手袋における複数の指袋のうちいずれか１つとには、前記第２のアンテナが形成される際に互いに接続されることで前記一側アンテナ線および前記他側アンテナ線と前記中継アンテナ線とに通信用の電力を通電するためのスイッチとして機能するスイッチ用接点がそれぞれ表面に露出して設けられることを特徴とする請求項１〜５のいずれか一項に記載の通信装置。
【請求項７】
前記一方の手袋における親指用の指袋には、一方の前記接点と一方の前記スイッチ用接点とが設けられることを特徴とする請求項１〜６のいずれか一項に記載の通信装置。
【発明の詳細な説明】
【技術分野】
【０００１】
本発明は、アンテナを介して非接触通信する通信装置に関するものである。
【背景技術】
【０００２】
従来、アンテナを介して非接触通信する通信装置に関する技術として、下記特許文献１に開示されるリーダライタが知られている。このリーダライタは、ＲＦＩＤタグと非接触で通信するためのアンテナが手袋に内蔵されるように構成されており、このアンテナを利用して通信処理を行うリーダライタ本体が使用者の腰等に取り付けられる。そして、上記手袋をつけた使用者がＲＦＩＤタグを貼着した荷物を持ち上げる際に、アンテナを介してＲＦＩＤタグと非接触通信（無線通信）することで、当該ＲＦＩＤタグのメモリに記録されている情報が読み取られる。
【先行技術文献】
【特許文献】
【０００３】
【特許文献１】特開２００２−３４７９３７号公報
【発明の概要】
【発明が解決しようとする課題】
【０００４】
ところで、通信作業では、常に近くの通信対象と通信することに限らず、遠くの通信対象と通信する場合もある。このように近くの通信対象と遠くの通信対象との双方と通信する場合には、アンテナを介した通信距離を変えることが望ましい。アンテナを介した通信距離を常に広範囲に設定すると、非接触通信のために不要な電力を供給する場合が多くなり省電力化等の阻害要因となってしまうからである。
【０００５】
しかしながら、使用者の手袋に設けられるようなアンテナでは、出力一定のまま通信範囲を変化させるための専用の装置等を組み込むことが困難であるという問題がある。特に、手袋の甲部分に表示機器等他の機能を有する機器を組み込む場合には、アンテナとして利用できる範囲が小さくなり通信範囲自体が小さくなってしまうという問題がある。
【０００６】
本発明は、上述した課題を解決するためになされたものであり、その目的とするところは、手袋を装着した指の状態に応じてアンテナの通信範囲を変化させ得る通信装置を提供することにある。
【課題を解決するための手段】
【０００７】
上記目的を達成するため、請求項１に記載の発明は、使用者が装着する手袋（３０）に形成されるアンテナ（４０）を介して非接触通信する通信装置（１０）であって、右手用手袋および左手用手袋のいずれか一方の手袋（３０ａ）における複数の指袋（３１ａ，３２ａ，３３ａ，３４ａ，３５ａ）のうちいずれか２つには、表面に露出する接点（４１ａ，４２ａ）同士が電気的に接続される場合に第１のアンテナ（４０ａ）を形成するための一側アンテナ線（４１）と他側アンテナ線（４２）とが配線され、前記一方の手袋と異なる他方の手袋（３０ｂ）には、前記一側アンテナ線および前記他側アンテナ線を中継することで前記第１のアンテナよりも大きな第２のアンテナ（４０ｂ）を形成するための中継アンテナ線（４３）が配線されるとともに、当該他方の手袋における複数の指袋（３１ｂ，３２ｂ，３３ｂ，３４ｂ，３５ｂ）のうちいずれか２つには、前記中継アンテナ線の両端となる２つの接点（４３ａ，４３ｂ）が前記一方の手袋の接点に接続可能にそれぞれ表面に露出することを特徴とする。
なお、上記各括弧内の符号は、後述する実施形態に記載の具体的手段との対応関係を示すものである。
【発明の効果】
【０００８】
請求項１の発明では、一方の手袋の各指袋のうちいずれか２つには、表面に露出する接点同士が電気的に接続される場合に第１のアンテナを形成するための一側アンテナ線と他側アンテナ線とが配線されている。また、他方の手袋には、一側アンテナ線および他側アンテナ線を中継することで第１のアンテナよりも大きな第２のアンテナを形成するための中継アンテナ線が配線されるとともに、当該他方の手袋の各指袋のうちいずれか２つには、中継アンテナ線の端部を構成する両接点が一方の手袋の対応する接点に接続可能にそれぞれ表面に露出している。
【０００９】
これにより、一方の手袋の指袋表面に露出する接点同士を接触させると第１のアンテナが形成されるため、片手の一部の指の動きだけでアンテナを形成することができる。また、一方の手袋の指袋表面に露出する接点と他方の手袋の指袋表面に露出する接点とを接触させると、中継アンテナ線の分だけ第１のアンテナよりも大きくなった第２のアンテナが形成されるため、両手の一部の指を使うことで片手の一部の指を使うよりも大きなアンテナを形成することができる。
したがって、片手の一部の指の動きで第１のアンテナが形成され両手の一部の指の動きで第２のアンテナが形成されるので、手袋を装着した指の状態に応じてアンテナの通信範囲を変化させることができる。
【００１０】
請求項２の発明では、手袋には、アンテナを介した通信状態を報知する報知手段が設けられるため、第１のアンテナを利用した非接触通信や第２のアンテナを利用した非接触通信の通信状態を、手袋を装着した使用者等が容易に把握することができる。
【００１１】
請求項３の発明では、手袋には、第１のアンテナが形成される場合に当該第１のアンテナに通信対象を誘導するための第１の誘導手段が設けられるため、通信対象を確実に第１のアンテナに誘導することができる。特に、第１の誘導手段が誘導状態であるということから、第１のアンテナの形成が完了していることを把握することができる。また、手袋には、第２のアンテナが形成される場合に当該第２のアンテナに通信対象を誘導するための第２の誘導手段が設けられるため、通信対象を確実に第２のアンテナに誘導することができる。特に、第２の誘導手段が誘導状態であるということから、第２のアンテナの形成が完了していることを把握することができる。
【００１２】
請求項４の発明では、表面上にて当該表面からの高さが接点よりも高い状態で当該接点の周囲を覆う保護部材が接点ごとに設けられている。この保護部材は、保護する接点に接続する他の接点を保護する他の保護部材に対して、両接点が接続可能に係合するように形成されている。これにより、手袋で導体を触る場合でもこの導体に保護部材が先に接触して接点は接触しないので、使用者の意図しないアンテナ形成を防止することができる。
【００１３】
請求項５の発明では、一方の手袋の各指袋のうちいずれか２つには、第１のアンテナが形成される際に互いに接続されることで一側アンテナ線および他側アンテナ線に通信用の電力を通電するためのスイッチとして機能するスイッチ用接点がそれぞれ表面に露出して設けられる。これにより、形成された第１のアンテナを用いて非接触通信する場合には、スイッチ用接点同士を接続させるように指を動かせばよいので、片手の一部の指の動きだけで第１のアンテナを用いた非接触通信を実行可能な通信状態とすることができる。
【００１４】
請求項６の発明では、一方の手袋の各指袋のうちいずれか１つと他方の手袋の各指袋のうちいずれか１つとには、第２のアンテナが形成される際に互いに接続されることで一側アンテナ線および他側アンテナ線と中継アンテナ線とに通信用の電力を通電するためのスイッチとして機能するスイッチ用接点がそれぞれ表面に露出して設けられる。これにより、形成された第２のアンテナを用いて非接触通信する場合には、一方の手袋のスイッチ用接点と他方の手袋のスイッチ用接点とを接続させるように指を動かせばよいので、両手の一部の指の動きだけで第２のアンテナを用いた非接触通信を実行可能な通信状態とすることができる。
【００１５】
請求項７の発明では、一方の手袋における親指用の指袋には、一方の接点と一方のスイッチ用接点とが設けられる。親指は、他の指と比較して、他の指それぞれを接近させやすいため、親指用の指袋に一方の接点と一方のスイッチ用接点との双方を設けることで、接点同士の接続およびスイッチ用接点同士の接続を指の動きで容易に実施することができる。
【図面の簡単な説明】
【００１６】
【図１】本実施形態に係るリーダライタの概略構成を示す説明図である。
【図２】リーダライタの電気的構成を概略的に示すブロック図である。
【図３】手袋の内部構造を概略的に示す説明図である。
【図４】手袋の外部構造を概略的に示す説明図である。
【図５】アンテナ４０の形態を説明する説明図である。
【図６】雄型保護部材の詳細形状を示す説明図である。
【図７】雌型保護部材の詳細形状を示す説明図である。
【図８】雄型保護部材と雌型保護部材とを係合させた係合状態を示す断面図である。
【図９】各接点および各スイッチ用接点を保護する保護部材の種別を示す説明図である。
【図１０】右手用手袋の各接点および各スイッチ用接点と他の接点との接続可否の関係を示す説明図である。
【図１１】右手用手袋における親指用手袋の接点およびスイッチ用接点と、人差し指用指袋の接点と、中指用指袋のスイッチ用接点との位置関係を示す説明図である。
【発明を実施するための形態】
【００１７】
以下、本発明に係る通信装置をリーダライタに適用した一実施形態について、図を参照して説明する。図１は、本実施形態に係るリーダライタ１０の概略構成を示す説明図である。図２は、リーダライタ１０の電気的構成を概略的に示すブロック図である。
本実施形態に係るリーダライタ１０は、使用者が装着する手袋３０を用いてアンテナ４０を形成し、このアンテナ４０を介して非接触通信媒体と非接触通信する携帯型の非接触通信装置である。このリーダライタ１０は、図１に示すように、決済処理等の情報処理機能を有するリーダライタ本体２０とアンテナ４０を形成するための手袋３０とが配線ケーブル１１等を介して電気的に接続された状態で分離するように構成されている。本実施形態では、非接触通信媒体として、例えば、図２に示すように、所定のデータが読み書き可能に記憶されるＩＣチップＣａと非接触通信用のアンテナＣｂとを有する公知の決済用のＩＣカードＣが採用されている。
【００１８】
リーダライタ本体２０は、使用者の腰等に装着されて携帯されるもので、リーダライタ１０全体の制御を司る制御部２１を備えている。この制御部２１は、マイコンを主体として構成されるものであり、ＣＰＵ、システムバス、入出力インタフェース等を有しており、メモリ２２と協働して情報処理手段として機能する。メモリ２２は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ２２のうちのＲＡＭには、制御部２１により算術演算や論理演算等の各処理時に利用される作業領域等が確保可能に構成されている。またＲＯＭには、決済処理や通信処理等を実行可能な所定プログラムや各ハードウェアを制御可能なシステムプログラム等が予め格納されている。
【００１９】
また、図２に示すように、制御部２１には、操作部２３、外部通信部２４、送受信回路２５、電源部２６および電池２７などが制御可能に接続されている。操作部２３は、外部に露出する複数の操作キーを備えており、操作キーの操作に応じた所定の情報を制御部２１に対して出力するように構成されている。外部通信部２４は、例えば公知のＬＡＮインタフェースなど外部装置との間で無線通信或いは有線通信を行うためのインタフェースであり、制御部２１により制御されて、取得した読取情報等について外部装置との間で送受信可能に構成されている。
【００２０】
送受信回路２５は、アンテナ４０および制御部２１と協働してＩＣカードＣとの間で電磁波による通信を行い、ＩＣカードＣのＩＣチップＣａに記憶されるデータの読み取り、或いはＩＣチップＣａへのデータの書き込みを行うように機能する。この送受信回路２５は、例えば、公知の電波方式で伝送を行う回路として構成されており、送信回路、受信回路、整合回路などを有している。
【００２１】
送信回路は、キャリア発振器、符号化部、増幅器、送信部フィルタ、変調部などによって構成されており、キャリア発振器から所定周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路を介してアンテナ４０に出力している。このようにしてアンテナ４０に送信信号が出力されると、その送信信号が電磁波として当該アンテナ４０より外部に放射される。
【００２２】
一方、アンテナ４０によって受信された電波信号は、整合回路を介して受信回路に入力される。この受信回路は、受信部フィルタ、増幅器、復調部、二値化処理部、複号化部などによって構成されており、アンテナ４０を介して受信された信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力する。
【００２３】
電源部２６は、例えば公知の電源回路などによって構成されており、電池２７から電力供給を受けて、リーダライタ本体２０の各電気部品に対し電力を供給するとともに、配線ケーブル１１等を介して手袋３０の各電気部品に対し電力を供給するように構成されている。
【００２４】
次に、本発明の特徴的部分である手袋３０について、図３〜図５を用いて詳細に説明する。図３は、手袋３０の内部構造を概略的に示す説明図である。図４は、手袋３０の外部構造を概略的に示す説明図である。図５は、アンテナ４０の形態を説明する説明図であり、図５（Ａ）は、小アンテナ４０ａの形態を示し、図５（Ｂ）は、大アンテナ４０ｂの形態を示す。
【００２５】
本実施形態に係る手袋３０は、右手用手袋３０ａのみ用いてアンテナ４０の一の形態である小アンテナ４０ａが形成され、右手用手袋３０ａおよび左手用手袋３０ｂの双方を用いて小アンテナ４０ａよりもアンテナサイズが大きな大アンテナ４０ｂが形成されるように、構成されている。なお、小アンテナ４０ａは、特許請求の範囲に記載の「第１のアンテナ」の一例に相当し、大アンテナ４０ｂは、特許請求の範囲に記載の「第２のアンテナ」の一例に相当し得る。
【００２６】
図３および図４に示すように、右手用手袋３０ａには、親指用指袋３１ａ、人差し指用指袋３２ａ、中指用指袋３３ａ、薬指用指袋３４ａ、小指用指袋３５ａの５つの指袋が設けられている。また、左手用手袋３０ｂには、親指用指袋３１ｂ、人差し指用指袋３２ｂ、中指用指袋３３ｂ、薬指用指袋３４ｂ、小指用指袋３５ｂの５つの指袋が設けられている。
【００２７】
右手用手袋３０ａの親指用指袋３１ａの内面には、小アンテナ４０ａを形成するための一側アンテナ線４１が配線されており、一側アンテナ線４１の一端が親指用指袋３１ａの腹側の先端近傍から露出する接点４１ａに電気的に接続されている。また、右手用手袋３０ａの人差し指用指袋３２ａの内面には、小アンテナ４０ａを形成するための他側アンテナ線４２が配線されており、他側アンテナ線４２の一端が人差し指用指袋３２ａの腹側の先端近傍から露出する接点４２ａに電気的に接続されている。これら一側アンテナ線４１の他端側および他側アンテナ線４２の他端側は、互いにツイストされた状態で配線ケーブル１１等を介して、リーダライタ本体２０に電気的に接続されている。
【００２８】
また、左手用手袋３０ｂの親指用指袋３１ｂおよび人差し指用指袋３２ｂの内面には、大アンテナ４０ｂを形成するための中継アンテナ線４３が配線されている。この中継アンテナ線４３の一端が親指用指袋３１ｂの腹側の先端近傍から露出する接点４３ａに電気的に接続されて、中継アンテナ線４３の他端が人差し指用指袋３２ｂの腹側の先端近傍から露出する接点４３ｂに電気的に接続されている。
【００２９】
これにより、図５（Ａ）に示すように、接点４１ａと接点４２ａとを接触させるように右手用手袋３０ａの親指用指袋３１ａと人差し指用指袋３２ａとで環をつくると、両接点４１ａ，４２ａを介して一側アンテナ線４１と他側アンテナ線４２とが接続されて小アンテナ４０ａが形成される。また、図５（Ｂ）に示すように、接点４１ａと接点４３ａとを接触させるとともに接点４２ａと接点４３ｂとを接触させるように親指用指袋３１ａ，３１ｂ同士と、人差し指用指袋３２ａ，３２ｂ同士とで環をつくると、各接点４１ａ，４３ａと接点４３ｂ，４２ａとを介して一側アンテナ線４１および他側アンテナ線４２と中継アンテナ線４３とが接続されて大アンテナ４０ｂが形成される。
【００３０】
また、手袋３０には、小アンテナ４０ａまたは大アンテナ４０ｂをＩＣカードＣと非接触通信可能な状態にするためのスイッチ５０が設けられている。このスイッチ５０は、一端にスイッチ用接点５１ａが接続される信号線５１と、一端にスイッチ用接点５２ａが接続される信号線５２と、一端にスイッチ用接点５３ａが接続される信号線５３とにより構成されている。各信号線５１〜５３の他端は、それぞれ配線ケーブル１１等を介して、リーダライタ本体２０に電気的に接続されており、スイッチ５０の状態が制御部２１により検知可能になっている。
【００３１】
スイッチ用接点５１ａは、右手用手袋３０ａの親指用指袋３１ａの腹側の先端近傍に露出するように配置されており、信号線５１は、親指用指袋３１ａの内面に沿うように配線されている。すなわち、親指用指袋３１ａの腹側の先端近傍には、スイッチ用接点５１ａと接点４１ａとの２つの接点が露出するように配置されている。
【００３２】
また、スイッチ用接点５２ａは、右手用手袋３０ａの中指用指袋３３ａの腹側の先端近傍に露出するように配置されており、信号線５２は、中指用指袋３３ａの内面に沿うように配線されている。また、スイッチ用接点５３ａは、左手用手袋３０ｂの中指用指袋３３ｂの腹側の先端近傍に露出するように配置されており、信号線５３は、中指用指袋３３ｂの内面に沿うように配線されている。
【００３３】
このように構成されるスイッチ５０では、図５（Ａ）に示すように、右手用手袋３０ａのみで小アンテナ４０ａを形成する場合に、右手用手袋３０ａの親指用指袋３１ａと中指用指袋３３ａとを近づけることでスイッチ用接点５１ａとスイッチ用接点５２ａとを接触させると、両スイッチ用接点５１ａ，５２ａを介して信号線５１および信号線５２が電気的に接続される。この両信号線５１，５２の導通を制御部２１により検知したことから送受信回路２５により一側アンテナ線４１および他側アンテナ線４２に通信用の電力を通電することで、小アンテナ４０ａが非接触通信を実行可能な通信状態となる。
【００３４】
また、図５（Ｂ）に示すように、右手用手袋３０ａおよび左手用手袋３０ｂの双方で大アンテナ４０ｂを形成する場合に、右手用手袋３０ａの中指用指袋３３ａと左手用手袋３０ｂの中指用指袋３３ｂとを近づけることでスイッチ用接点５２ａとスイッチ用接点５３ａとを接触させると、両スイッチ用接点５２ａ，５３ａを介して信号線５２および信号線５３が電気的に接続される。この両信号線５２，５３の導通を制御部２１により検知したことから送受信回路２５により一側アンテナ線４１および他側アンテナ線４２に通信用の電力を通電することで、大アンテナ４０ｂが非接触通信を実行可能な通信状態となる。
【００３５】
次に、各接点の保護構造について、図６〜図１１を用いて詳細に説明する。図６は、雄型保護部材６１の詳細形状を示す説明図であり、図６（Ａ）は、正面図を示し、図６（Ｂ）は、図６（Ａ）の６Ｂ−６Ｂ線相当の切断面による断面図を示す。図７は、雌型保護部材６２の詳細形状を示す説明図であり、図７（Ａ）は、正面図を示し、図７（Ｂ）は、図７（Ａ）の７Ｂ−７Ｂ線相当の切断面による断面図を示す。図８は、雄型保護部材６１と雌型保護部材６２とを係合させた係合状態を示す断面図である。図９は、各接点４１ａ，４２ａ，４３ａ，４３ｂおよび各スイッチ用接点５１ａ，５２ａ，５３ａを保護する保護部材の種別を示す説明図である。図１０は、右手用手袋３０ａの各接点４１ａ，４２ａおよび各スイッチ用接点５１ａ，５２ａと他の接点との接続可否の関係を示す説明図である。図１１は、右手用手袋３０ａにおける親指用手袋３１ａの接点４１ａおよびスイッチ用接点５１ａと、人差し指用指袋３２ａの接点４２ａと、中指用指袋３３ａのスイッチ用接点５２ａとの位置関係を示す説明図である。なお、図１０にて示す「×」は、両接点を保護する保護部材同士が同じ型式であるため物理的に接続不能である関係を意味し、「−」は、人の指の動きから接続不能である関係を示す。
【００３６】
図６（Ａ），（Ｂ）に示すように、接点４１ａは、絶縁材料から形成される雄型保護部材６１により保護されている。この雄型保護部材６１は、保護対象の接点４１ａを中心に内側円筒部６１ａと外側円筒部６１ｂとが同軸的に延出するように形成されている。特に、接点４１ａは、雄型保護部材６１内での突出高さが外側円筒部６１ｂの延出端よりも低くなるように雄型保護部材６１により保護されている。すなわち、雄型保護部材６１は、指袋の表面上にて当該表面からの高さが保護対象の接点よりも高い状態で当該接点の周囲を覆うように形成される。
【００３７】
また、図７（Ａ），（Ｂ）に示すように、接点４２ａは、絶縁材料から形成される雌型保護部材６２により保護されている。この雌型保護部材６２は、保護対象の接点４２ａを中心に内側円筒部６２ａと外側円筒部６２ｂとが同軸的に延出するように形成されている。特に、接点４２ａは、雌型保護部材６２内での突出高さが外側円筒部６２ｂの延出端よりも低くなるように雌型保護部材６２により保護されている。すなわち、雌型保護部材６２は、指袋の表面上にて当該表面からの高さが保護対象の接点よりも高い状態で当該接点の周囲を覆うように形成される。
【００３８】
そして、図８に示すように、内側円筒部６１ａと内側円筒部６２ａとは、接点４１ａおよび接点４２ａの接続時に、内側円筒部６１ａの外周面と内側円筒部６２ａの内周面とで面接触して係合するように形成されている。また、外側円筒部６１ｂと外側円筒部６２ｂとは、接点４１ａおよび接点４２ａの接続時に、外側円筒部６１ｂの内周面と外側円筒部６２ｂの外周面とが隙間を介して対向するように形成されている。
【００３９】
図９に示すように、接点４３ｂおよびスイッチ用接点５２ａは、接点４１ａと同様に、雄型保護部材６１により保護されており、接点４３ａおよびスイッチ用接点５１ａ，５３ａは、接点４２ａと同様に、雌型保護部材６２により保護されている。
【００４０】
このため、雄型保護部材６１にて保護される接点４１ａ，接点４３ｂおよびスイッチ用接点５２ａは、外側円筒部６１ｂ同士が先に接触することで、誤って互いに接続されることが防止される（図１０の「×」参照）。また、雌型保護部材６２にて保護される接点４２ａ，４３ａおよびスイッチ用接点５１ａ，５３ａは、外側円筒部６２ｂ同士が先に接触することで、誤って互いに接続されることが防止される（図１０の「×」参照）。
【００４１】
特に、図１１に示すように、右手用手袋３０ａの親指用袋３１ａでは接点４１ａが雄型保護部材６１にて保護されるとともにスイッチ用接点５１ａが雌型保護部材６２にて保護されており、人差し指用指袋３２ａでは接点４２ａが雌型保護部材６２にて保護されており、中指用指袋３３ａではスイッチ用接点５２ａが雄型保護部材６１にて保護されている。そうすると、親指用袋３１ａの接点４１ａとスイッチ用接点５１ａとが指の動きで接続することもないことから、右手用手袋３０ａを用いて小アンテナ４０ａを形成する場合には、接点４１ａは接点４２ａとのみ接続可能であり、スイッチ用接点５１ａはスイッチ用接点５２ａとのみ接続可能である。このため、小アンテナ４０ａを形成する際のアンテナ用の接点とスイッチ用の接点との誤接続が確実に防止される。
【００４２】
このように構成される手袋３０の右手用手袋３０ａには、図２に示すように、スピーカ３６，発光部３７および表示部３８が設けられている。スピーカ３６は、制御部２１により制御されて所定の音声やビープ音等を発することで、アンテナ４０を介した通信状態を報知する報知手段として機能するもので、右手用手袋３０ａの甲部分に配置されている。
【００４３】
発光部３７は、制御部２１により制御されて発光することで、形成された小アンテナ４０ａまたは大アンテナ４０ｂにＩＣカードＣを誘導する誘導手段として機能するもので、図４に示すように、右手用手袋３０ａに設けられる４つのＬＥＤからなる第１発光部３７ａと、左手用手袋３０ｂに設けられる４つのＬＥＤからなる第２発光部３７ｂとにより構成されている。第１発光部３７ａは、親指用指袋３１ａの爪側外面に１つのＬＥＤが配置され、人差し指用指袋３２ａの爪側外面に２つのＬＥＤが配置され、親指用指袋３１ａと人差し指用指袋３２ａとの連結部分の外面に１つのＬＥＤが配置されて構成されている。また、第２発光部３７ｂは、親指用指袋３１ｂの爪側外面に１つのＬＥＤが配置され、人差し指用指袋３２ｂの爪側外面に２つのＬＥＤが配置され、親指用指袋３１ｂと人差し指用指袋３２ｂとの連結部分の外面に１つのＬＥＤが配置されて構成されている。
【００４４】
表示部３８は、制御部２１により制御されて、残高表示などＩＣカードＣとの通信に関する情報や広告関連の情報等を表示する表示手段として機能するもので、右手用手袋３０ａの甲部分に配置されている。
【００４５】
次に、上述のように構成されるリーダライタ１０によりＩＣカードＣを用いた決済処理を実施する場合について、以下に説明する。
比較的近くのＩＣカードＣが読取対象である場合には、右手の親指に対して同じく右手の人差し指および中指を近づけることで、接点４１ａおよび接点４２ａを接続するとともにスイッチ用接点５１ａおよびスイッチ用接点５２ａを接続する（図５（Ａ）参照）。これにより、小アンテナ４０ａが形成されるとともにこの小アンテナ４０ａを介した無線通信が可能な状態となる。また、無線通信可能な状態の小アンテナ４０ａにＩＣカードＣを誘導するために、第１発光部３７ａの４つのＬＥＤが点灯する。なお、第１発光部３７ａは、特許請求の範囲に記載の「第１の誘導手段」の一例に相当し得る。
【００４６】
この状態で、発光状態の第１発光部３７ａの各ＬＥＤ、すなわち、小アンテナ４０ａに対して決済のためにＩＣカードＣが近づけられると、リーダライタ本体２０による決済処理が開始されて、ＩＣカードＣとの無線通信がなされる。この無線通信による決済処理が完了すると、スピーカ３６によりその完了を報知する所定のビープ音等が発生され、残高情報等の決済関連情報が表示部３８に表示される。
【００４７】
一方、小アンテナ４０ａの通信範囲外の比較的遠くに位置するＩＣカードＣが読取対象である場合には、右手の親指と人差し指と中指とに左手の親指と人差し指と中指とを近づけることで、接点４１ａおよび接点４３ａ、接点４２ａおよび接点４３ａ、スイッチ用接点５２ａおよびスイッチ用接点５３ａを接続する（図５（Ｂ）参照）。これにより、小アンテナ４０ａよりもアンテナサイズが大きな大アンテナ４０ｂが形成されるとともにこの大アンテナ４０ｂを介した無線通信が可能な状態となる。また、無線通信可能な状態の大アンテナ４０ｂにＩＣカードＣを誘導するために、第１発光部３７ａと第２発光部３７ｂとの計８つのＬＥＤが点灯する。なお、第１発光部３７ａおよび第２発光部３７ｂは、特許請求の範囲に記載の「第２の誘導手段」の一例に相当し得る。
【００４８】
この状態で、発光状態の第１発光部３７ａおよび第２発光部３７ｂの各ＬＥＤ、すなわち、大アンテナ４０ｂに対して決済のためにＩＣカードＣが近づけられると、リーダライタ本体２０による決済処理が開始されて、ＩＣカードＣとの無線通信がなされる。この無線通信による決済処理が完了すると、スピーカ３６によりその完了を報知する所定のビープ音等が発生され、残高情報等の決済関連情報が表示部３８に表示される。
【００４９】
以上説明したように、本実施形態に係るリーダライタ１０では、右手用手袋３０ａの親指用指袋３１ａおよび人差し指用指袋３２ａには、表面に露出する接点４１ａ，４２ａ同士が電気的に接続される場合に小アンテナ（第１のアンテナ）４０ａを形成するための一側アンテナ線４１と他側アンテナ線４２とが配線されている。また、左手用手袋３０ｂには、一側アンテナ線４１および他側アンテナ線４２を中継することで小アンテナ４０ａよりもアンテナサイズの大きな大アンテナ（第２のアンテナ）４０ｂを形成するための中継アンテナ線４３が配線されるとともに、当該左手用手袋３０ｂの親指用指袋３１ｂおよび人差し指用指袋３２ｂには、中継アンテナ線４３の両端となる２つの接点４３ａ，４３ｂが右手用手袋３０ａの対応する接点４１ａ，４２ａに接続可能にそれぞれ表面に露出している。
【００５０】
これにより、右手用手袋３０ａの指袋表面に露出する接点４１ａ，４２ａ同士を接触させると小アンテナ４０ａが形成されるため、片手の一部の指の動きだけでアンテナを形成することができる。また、右手用手袋３０ａの指袋表面に露出する接点４１ａ，４２ａと左手用手袋３０ｂの指袋表面に露出する接点４３ａ，４３ｂとを接触させると、中継アンテナ線４３の分だけ小アンテナ４０ａよりもアンテナサイズが大きくなった大アンテナ４０ｂが形成されるため、両手の一部の指を使うことで片手の一部の指を使うよりも大きなアンテナを形成することができる。
したがって、片手の一部の指の動きで小アンテナ４０ａが形成され両手の一部の指の動きで大アンテナ４０ｂが形成されるので、手袋３０を装着した指の状態に応じてアンテナ４０の通信範囲をそのアンテナサイズの変化に応じて変化させることができる。
【００５１】
また、手袋３０には、アンテナ４０を介した通信状態を報知する報知手段としてスピーカ３６や表示部３８が設けられるため、小アンテナ４０ａを利用した非接触通信や大アンテナ４０ｂを利用した非接触通信の通信状態を、手袋３０を装着した使用者等が容易に把握することができる。
【００５２】
さらに、手袋３０には、小アンテナ４０ａが形成される場合に当該小アンテナ４０ａに通信対象を誘導するための第１発光部３７ａが設けられるため、通信対象を確実に小アンテナ４０ａに誘導することができる。特に、第１発光部３７ａが誘導状態であるということから、小アンテナ４０ａの形成が完了していることを把握することができる。また、手袋３０には、大アンテナ４０ｂが形成される場合に当該大アンテナ４０ｂに通信対象を誘導するための第１発光部３７ａおよび第２発光部３７ｂが設けられるため、通信対象を確実に大アンテナ４０ｂに誘導することができる。特に、第１発光部３７ａおよび第２発光部３７ｂが誘導状態であるということから、大アンテナ４０ｂの形成が完了していることを把握することができる。
【００５３】
特に、表面上にて当該表面からの高さが接点よりも高い状態で当該接点の周囲を覆う保護部材６１，６２が接点ごとに設けられている。この保護部材６１，６２は、保護する接点に接続する他の接点を保護する他の保護部材に対して、両接点が接続可能に係合するように形成されている。これにより、手袋３０で導体を触る場合でもこの導体に保護部材６１，６２が先に接触して接点は接触しないので、使用者の意図しないアンテナ形成を防止することができる。
【００５４】
また、右手用手袋３０ａの親指用指袋３１ａおよび中指用指袋３３ａには、小アンテナ４０ａが形成される際に互いに接続されることで一側アンテナ線４１および他側アンテナ線４２に通信用の電力を通電するためのスイッチ５０として機能するスイッチ用接点５１ａ，５２ａがそれぞれ表面に露出して設けられる。これにより、形成された小アンテナ４０ａを用いて非接触通信する場合には、スイッチ用接点５１ａ，５２ａ同士を接続させるように指を動かせばよいので、片手の一部の指の動きだけで小アンテナ４０ａを用いた非接触通信を実行可能な通信状態とすることができる。
【００５５】
また、右手用手袋３０ａの中指用指袋３３ａと左手用手袋３０ｂの中指用指袋３３ｂとには、大アンテナ４０ｂが形成される際に互いに接続されることで一側アンテナ線４１および他側アンテナ線４２と中継アンテナ線４３とに通信用の電力を通電するためのスイッチ５０として機能するスイッチ用接点５２ａ，５３ａがそれぞれ表面に露出して設けられる。これにより、形成された大アンテナ４０ｂを用いて非接触通信する場合には、右手用手袋３０ａのスイッチ用接点５２ａと左手用手袋３０ｂのスイッチ用接点５３ａとを接続させるように指を動かせばよいので、両手の一部の指の動きだけで大アンテナ４０ｂを用いた非接触通信を実行可能な通信状態とすることができる。
【００５６】
そして、右手用手袋３０ａにおける親指用指袋３１ａには、一方の接点４１ａと一方のスイッチ用接点５１ａとが設けられる。親指は、他の指と比較して、他の指それぞれを接近させやすいため、親指用指袋３１ａに一方の接点４１ａと一方のスイッチ用接点５１ａとの双方を設けることで、接点４１ａ，４２ａ同士の接続およびスイッチ用接点５１ａ，５２ａ同士の接続を指の動きで容易に実施することができる。
【００５７】
なお、本発明は上記各実施形態に限定されるものではなく、例えば、以下のように具体化してもよい。
（１）手袋３０は、一方の手袋である右手用手袋３０ａのみ用いて小アンテナ４０ａが形成されることに限らず、他方の手袋である左手用手袋３０ｂのみ用いて小アンテナ４０ａが形成されてもよい。この場合、左手用手袋３０ｂでは、接点４１ａおよびスイッチ用接点５１ａと一側アンテナ線４１および信号線５１とが親指用指袋３１ｂに設けられ、接点４２ａと他側アンテナ線４２とが人差し指用指袋３２ｂに設けられ、スイッチ用接点５２ａと信号線５２とが中指用指袋３３ｂに設けられる。また、右手用手袋３０ａでは、接点４３ａが親指用指袋３１ａに設けられ、接点４３ｂが人差し指用指袋３２ａに設けられ、中継アンテナ線４３が親指用指袋３１ａから人差し指用指袋３２ａにかけて配線され、スイッチ用接点５３ａと信号線５３とが中指用指袋３３ａに設けられる。このようにしても、左手の指の動きで小アンテナ４０ａを形成でき、両手の指の動きで大アンテナ４０ｂを形成することができる。
【００５８】
（２）接点４１ａおよび接点４２ａは、親指用指袋３１ａおよび人差し指用指袋３２ａに設けられることに限らず、複数の指袋３１ａ〜３５ａのうちいずれか２つに設けられてもよい。また、スイッチ用接点５１ａおよびスイッチ用接点５２ａは、親指用指袋３１ａおよび中指用指袋３３ａに設けられることに限らず、複数の指袋３１ａ〜３５ａのうちいずれか２つに設けられてもよい。また、接点４３ａおよび接点４３ｂは、親指用指袋３１ｂおよび人差し指用指袋３２ｂに設けられることに限らず、複数の指袋３１ｂ〜３５ｂのうちいずれか２つに設けられてもよい。また、スイッチ用接点５３ａは、中指用指袋３３ｂに設けられることに限らず、複数の指袋３１ｂ〜３５ｂのうちいずれか１つに設けられてもよい。このようにしても、一方の手の指の動きで小アンテナ４０ａを形成でき、両手の指の動きで大アンテナ４０ｂを形成することができる。
【００５９】
（３）発光部３７は、小アンテナ４０ａおよび大アンテナ４０ｂのいずれかを介した通信状態に応じて点灯状態を変化させることで、当該通信状態を報知する報知手段として機能させることができる。
【００６０】
（４）小アンテナ４０ａにＩＣカードＣ等の通信対象を誘導するための誘導手段（第１の誘導手段）として、第１発光部３７ａが採用されることに限らず、形成された小アンテナ４０ａの状態を視覚的に強調する強調手段が採用されてもよい。また、大アンテナ４０ｂにＩＣカードＣ等の通信対象を誘導するための誘導手段（第２の誘導手段）として、第１発光部３７ａおよび第２発光部３７ｂが採用されることに限らず、形成された大アンテナ４０ｂの状態を視覚的に強調する強調手段が採用されてもよい。
【００６１】
（５）小アンテナ４０ａ用のスイッチとして、スイッチ用接点５１ａおよびスイッチ用接点５２ａが採用されることに限らず、別途、小アンテナ４０ａ用の操作キー等が採用されてもよい。また、大アンテナ４０ｂ用のスイッチとして、スイッチ用接点５２ａおよびスイッチ用接点５３ａが採用されることに限らず、別途、大アンテナ４０ｂ用の操作キー等が採用されてもよい。
【００６２】
（６）リーダライタ本体２０は、小アンテナ４０ａおよび大アンテナ４０ｂのいずれかを介して決済用のＩＣカードＣと非接触通信することで決済処理を実施することに限らず、小アンテナ４０ａおよび大アンテナ４０ｂのいずれかを介して非接触通信媒体と非接触通信することで所定の情報処理を実施してもよい。
【００６３】
（７）本発明に係る手袋３０は、装着した使用者が電車内でＩＣカードの非接触通信媒体を用いた通信処理を実施するように構成されているが、これに限らず、他の構成の手袋部分、例えば、ぬいぐるみの手袋部分に適用されてもよい。この場合には、ぬいぐるみを着た使用者は、決済用の端末無しで決済処理ができる。そうすると、遊園地等にてキャラクターのぬいぐるみを着たまま片手または両手をかざすだけで非接触通信媒体と非接触通信できるので、違和感無く通信処理ができ話題性を高めることができる。
【符号の説明】
【００６４】
１０…リーダライタ（通信装置）
２０…リーダライタ本体
３０…手袋  ３０ａ…右手用手袋  ３０ｂ…左手用手袋
３１ａ，３１ｂ…親指用指袋
３２ａ，３２ｂ…人差し指用指袋
３３ａ，３３ｂ…中指用指袋
３４ａ，３４ｂ…薬指用指袋
３５ａ，３５ｂ…小指用指袋
３６…スピーカ（報知手段）
３７…発光部
３７ａ…第１発光部（第１誘導手段）
３７ｂ…第２発光部（第１誘導手段，第２誘導手段）
３８…表示部
４０…アンテナ
４０ａ…小アンテナ（第１のアンテナ）
４０ｂ…大アンテナ（第２のアンテナ）
４１…一側アンテナ線  ４２…他側アンテナ線  ４３…中継アンテナ線
４１ａ，４２ａ，４３ａ，４３ｂ…接点
５０…スイッチ
５１，５２，５３…信号線
５１ａ，５２ａ，５３ａ…スイッチ用接点
６１…雄型保護部材  ６２…雌型保護部材
【図１】
2014051760.tif 000003
【図２】
2014051760.tif 000004
【図３】
2014051760.tif 000005
【図４】
2014051760.tif 000006
【図５】
2014051760.tif 000007
【図６】
2014051760.tif 000008
【図７】
2014051760.tif 000009
【図８】
2014051760.tif 000010
【図９】
2014051760.tif 000011
【図１０】
2014051760.tif 000012
【図１１】
2014051760.tif 000013